(57)【特許請求の範囲】
【請求項１】
同一店舗内に、ショーケースと空調機が施設されていて、それぞれの冷媒回路が独立し、各々専用の冷凍機とつながっている場合において、
ショーケースの所要冷却能力がショーケース環境要因にて不足した場合に、同一店舗内の空調機の運転を増加させ、ショーケースの環境要因を改善し、ショーケースの冷却能力を低減する制御を行うのに、
ショーケースの所要冷却能力がショーケース環境要因にて不足した時に、
空調機が停止している場合は、その停止している空調機を強制的に冷房を行う運転で運転させ、冷房状態の運転ではない場合は、冷房状態の運転に切り替えて運転させ、暖房を行う運転の場合は、暖房運転のままで目標温度を下げて運転を継続させる空調装置であって、
前記冷凍機の目標蒸発温度から前記冷凍機の初期蒸発温度を引いた値が前記ショーケースの用途毎に設定可能なトリガ温度に到達した場合はショーケースの所要冷却能力がショーケース環境要因にて不足したと判断する
ことを特徴とした冷凍空調装置。
【請求項２】
前記制御を行う場合に、前記空調機の設定温度を予め定められた温度変更幅だけ変更する
ことを特徴とした請求項１に記載の冷凍空調装置。
【請求項３】
前記制御を行う場合に、前記空調機の設定温度を変更した後は、予め定められた時間が経過後に再度前記空調機の設定温度を変更することが可能となる
ことを特徴とした請求項１または２に記載の冷凍空調装置。
【請求項４】
前記制御を行う場合に、空調機の設定温度を予め定められた温度より下げられない
ことを特徴とした請求項１〜３のいずれか一項に記載の冷凍空調装置。
【請求項５】
ショーケースの所要冷却能力がショーケース環境要因にて不足した時に空調機を動かすことで、ショーケースの環境要因を改善し、ショーケースの所要冷却能力を改善させたあと、ショーケース環境が戻った場合は、空調機の運転を改善のために運転させた前の状態に戻す
ことを特徴とした請求項１〜４のいずれか一項に記載の冷凍空調装置。
【請求項６】
予め定められた時間経過後に、前記空調機の運転を改善のために運転させた前の状態に戻すことが可能となる
ことを特徴とした請求項５に記載の冷凍空調装置。
【請求項７】
ショーケースの所要冷却能力がショーケース環境要因にて不足した時に、最初に店舗の外の外気状態を測定し、ショーケース環境より、温度、もしくは湿度が低い場合は、換気扇の流量を上げ、外気取り入れ量を増やす
ことを特徴とした請求項１〜６のいずれか一項に記載の冷凍空調装置。
【請求項８】
前記外気取り入れ量を増やしてもそれだけではショーケース環境を改善できない場合は、空調機の運転を増加させ、ショーケースの環境要因を改善し、ショーケースの冷却能力を低減する制御を行う
ことを特徴とした請求項７に記載の冷凍空調装置。
【発明の詳細な説明】
【技術分野】
【０００１】
本発明は、空調装置に係り、特に冷凍装置と空調装置とが各々独立した冷媒の循環流路を有する空調装置に関する。
【背景技術】
【０００２】
図２は一般的な食品店舗を示しており、食品店舗は大きく分けて、冷蔵・冷凍食品売り場、非冷蔵・冷凍商品売り場、レジの構成となり、店舗の裏側に商品をストックするバックヤード１９（１９ａ、１９ｂ）を配している。
【０００３】
店舗内は、店舗内空調を整える、空調機１８（１８ａ〜１８ｉ）があり、冷蔵・冷凍食品を展示するショーケース２（２ａ、２ｂ、２ｅ、２ｊ、２ｓ、２ｗ、２ｔ〜）を配している。空調機１８ａ〜１８ｉ、ショーケース２ａ、２ｂ、２ｅ、２ｊ、２ｓ、２ｗ、２ｔ〜はそれぞれ冷凍サイクル２０（２０ａ〜２０ｉ）の配管を通じて、各対応するコンデンシングユニット（冷凍機）１（１ａ〜１ｉ）とつながっている。
【０００４】
バックヤード１９ａ、１９ｂも、内部を冷やすための冷却機（図示せず）を備え、独立した冷凍機か、いずれかのショーケースの冷媒系統に接続している。
【０００５】
これら、空調機１８ａ〜１８ｉやショーケース２ａ、２ｂ、２ｅ、２ｊ、２ｓ、２ｗ、２ｔ〜はそれぞれに、温度設定するリモコンを配置する場合もあるが、通常台数が多いため、一括で管理するシステムコントローラ４１を設けて、このシステムコントローラにて、各空調機１８ａ〜１８ｉや、ショーケース２ａ、２ｂ、２ｅ、２ｊ、２ｓ、２ｗ、２ｔ〜の温度設定、発動、停止、異常表示などを行う。よってシステムコントローラ４１は一般に店長室に配置されている。
【０００６】
当然システムコントローラは全ての空調機１８ａ〜１８ｉ、ショーケース２ａ、２ｂ、２ｅ、２ｊ、２ｓ、２ｗ、２ｔ〜に有線、無線の何らかの方法で接続されていて、情報通信ができるようになっている（図示せず）。
【０００７】
ショーケース２ａ、２ｂ、２ｅ、２ｊ、２ｓ、２ｗ、２ｔ〜は、用途ごとに庫内の温度を設定しており、同列の温度帯のケースを並べて配置する。
【０００８】
ショーケース２ａ、２ｂ、２ｅ、２ｊ、２ｓ、２ｗ、２ｔ〜とコンデンシングユニット（冷凍機）１との関係は、通常１台のコンデンシングユニット１に、冷却能力でカバーできる範囲内で、類似庫内温度のショーケース２ａ、２ｂ、２ｅ、２ｊ、２ｓ、２ｗ、２ｔ〜を接続する。これは、コンデンシングユニット１は、つながるショーケース２ａ、２ｂ、２ｅ、２ｊ、２ｓ、２ｗ、２ｔ〜の庫内温度の低いほうにあわせて冷媒の蒸発温度を設定するためで、冷媒蒸発温度を下げるほど、仕事量が増え電気代がかさむことになるためである。
【０００９】
下記表１は、代表事例としての、ショーケース２ａ、２ｂ、２ｅ、２ｊ、２ｓ、２ｗ、２ｔ〜の用途ごとの設定温度と、コンデンシングユニット（冷凍機）の目標蒸発温度を示したものである。
【００１０】
【表１】
0005627522.tif 000002
【００１１】
空調機１８の設定温度は、２５℃前後で、夏は高め、冬は低目にする傾向にある。これは、外から入ってこられたお客様の感じる体感温度は、外の温度との差による影響が大きいためと、省エネに対しての意識が、社会的にも認識されてきたことが大きい。
【００１２】
よって、仮に夏場であると、同一店舗内に空調機１８とショーケース２ａ、２ｂ、２ｅ、２ｊ、２ｓ、２ｗ、２ｔ〜が配置されていることは、同一店舗内の空気を、空調機１８とショーケースショーケース２ａ、２ｂ、２ｅ、２ｊ、２ｓ、２ｗ、２ｔ〜で冷やすことになる。
【００１３】
このことは、空調機用のコンデンシングユニットとショーケース用のコンデンシングユニットの冷凍機双方が、同一店舗内の空気を冷やすために仕事をしていると言い換えられる。
【００１４】
下記特許文献１は、集中制御部は、ショーケースの負荷に応じて空調装置の冷房運転設定温度を既定値よりも下げる構成としたものである。
【００１５】
すなわち、比較的運転効率が高く、消費エネルギーが少ない空調装置によって店舗の室内の温度を下げることで、オープンショーケースの負荷を下げ、さらに冷凍機の運転効率の低下を防ぐことができ、 空調装置として見たとき、運転効率を向上し、省エネルギー性を向上することができる。
【特許文献１】特許第４０８８６７１号公報
【００１６】
この特許文献１においてショーケースの負荷は、冷凍機の圧縮機の運転電流及び運転周波数により把握される。
【００１７】
空調装置が冷房運転時、オープンショーケースの負荷増大、つまり冷凍機の負荷増大により、冷凍機の運転効率が低下しそうになると、空調装置の設定温度が温度が下がる。
【００１８】
このため、空調装置により、オープンショーケースが設置された店舗の室内の温度が下がり、オープンショーケースの冷凍負荷や冷蔵負荷となる熱量の１つである外気からの侵入熱の熱量が低減される。
【発明の開示】
【発明が解決しようとする課題】
【００１９】
ショーケースの環境としての雰囲気の温度、湿度が高くなると、ショーケースの所要冷却能力が増えていく。これは店舗のドア開閉での外気の侵入、換気、壁の断熱と外気温度の差、空調温度の変更など各種要因によって起きてくる。
【００２０】
同一店舗内に、ショーケースと空調機が施設されていて、それぞれの冷媒回路が独立し、各々専用の冷凍機とつながっている場合、ショーケースも空調機も同じエリアの空気を冷やすことになる。
【００２１】
よって、冷媒の蒸発温度が高い空調機への仕事配分を多くする方が、全体としての効率があがり、より省エネになると考えられてきたが、ショーケースがある場合は逆となることを知らない場合が多い。
【００２２】
このように、空調機の設定温度を高くしたほうが省エネになると認識している場合、店舗閉店後の夜間は空調機を止める方が省エネになるとして空調機を止める傾向になる。
【００２３】
そして夜間に空調機を止めた場合、熱帯夜などは、夜間でも３０℃台に店舗内温度が上昇する場合があり、ショーケース冷却能力が増加し、結果としてショーケース側のコンデンシングユニットの電気代が増えてしまう問題が発生する。
【００２４】
ただし、涼しい時間帯では、冷えすぎ防止の視点で、空調機は止めたほうがいい場合もある。また空調機を停止させていなくても、省エネの考えより、除湿、もしくは送風のみで運転する場合もある。
【００２５】
この場合、朝方は店舗内の環境的には温度、湿度ともに滞在する人、ショーケースそれぞれに快適であっても、時間経過とともに温度、湿度が上昇することが多い。その場合、ショーケース側から見ると、冷却能力が増え、結果として店舗全体では省エネに反する状態となる。
【００２６】
他にも、店舗の暖房時に、暖房を効かせすぎることで、暖房への電力と、ショーケース環境劣化での電力と二つが重なり、より高い消費電力を発生することがある。
【００２７】
また、店舗外環境が変わり、涼しくなってきた場合は、冷房のための空調機の運転は無駄な電力となる。
【００２８】
よって、刻々変化する環境に適した空調機の運転をしないと、結果として無駄な電気を発生させる問題が発生した。
【００２９】
本発明の目的は前記従来例の不都合を解消し、同一店舗内のショーケースと空調機において、時々刻々と変化する店舗外環境の変化によって店舗ない環境も刻々と変化していくので、その変化に対応させて、空調機の運転状態を変えることで、ショーケースの設置箇所での環境を定格条件に留めることで、店舗全体としての無駄な電気代の発生を防止し、省エネを行うことができる 空調装置を提供することにある。
【課題を解決するための手段】
【００３０】
前記目的を達成するため請求項１記載の本発明は、同一店舗内に、ショーケースと空調機が施設されていて、それぞれの冷媒回路が独立し、各々専用の冷凍機とつながっている場合において、ショーケースの所要冷却能力がショーケース環境要因にて不足した場合に、同一店舗内の空調機の運転を増加させ、ショーケースの環境要因を改善し、ショーケースの冷却能力を低減する制御を行うのに、ショーケースの所要冷却能力がショーケース環境要因にて不足した時に、空調機が停止している場合は、その停止している空調機を強制的に冷房を行う運転で運転させ、冷房状態の運転ではない場合は、冷房状態の運転に切り替えて運転させ、暖房を行う運転の場合は、暖房運転のままで目標温度を下げて運転を継続させる空調装置であって、冷凍機の目標蒸発温度から冷凍機の初期蒸発温度を引いた値がショーケースの用途毎に設定可能なトリガ温度に到達した場合はショーケースの所要冷却能力がショーケース環境要因にて不足したと判断することを要旨とするものである。
【００３１】
請求項１記載の本発明によれば、刻々変化する環境に適した空調機の運転をして結果として無駄な電気を発生させることを防止できる。
【００３２】
請求項２記載の本発明は、制御を行う場合に、空調機の設定温度を予め定められた温度変更幅だけ変更すること、請求項３記載の本発明は、制御を行う場合に、空調機の設定温度を変更した後は、予め定められた時間が経過後に再度空調機の設定温度を変更することが可能となること、請求項４記載の本発明は、制御を行う場合に、空調機の設定温度を予め定められた温度より下げられないこと、請求項５記載の本発明は、ショーケースの所要冷却能力がショーケース環境要因にて不足した時に空調機を動かすことで、ショーケースの環境要因を改善し、ショーケースの所要冷却能力を改善させたあと、ショーケース環境が戻った場合は、空調機の運転を改善のために運転させた前の状態に戻すことを要旨とするものである。
【００３３】
請求項５記載の本発明によれば、空調連係制御完了後、元の停止状態に戻す場合に、その時間がすでに店舗が開店状態となっていて、連携対象でない、空調機が動き出しているならば、停止にするのではなくて、停止以前の設定で動かすようにする。
【００３４】
請求項６記載の本発明は、予め定められた時間経過後に、空調機の運転を改善のために運転させた前の状態に戻すことが可能となること、請求項７記載の本発明は、ショーケースの所要冷却能力がショーケース環境要因にて不足した時に、最初に店舗の外の外気状態を測定し、ショーケース環境より、温度、もしくは湿度が低い場合は、換気扇の流量を上げ、外気取り入れ量を増やすこと、請求項８記載の本発明は、外気取り入れ量を増やしてもそれだけではショーケース環境を改善できない場合は、空調機の運転を増加させ、ショーケースの環境要因を改善し、ショーケースの冷却能力を低減する制御を行うことを要旨とするものである。
【００３５】
請求項７記載および請求項８記載の本発明によれば、空調連携を行う場合に、店舗室外の環境が、空調で行う冷房設定の環境温度以下であった場合は、空調機による冷房に入るのではなく、換気扇の流量を上げ外気の取入れを増加させる。そしてそれだけでは改善できない場合は、空調機を動かし、ショーケース環境改善を行う。
【発明の効果】
【００３６】
以上述べたように本発明の 空調装置は、ショーケース設置の環境劣化により、所要冷却能力が上昇した場合、同一店舗内の空調機をもってショーケース環境劣化を改善するばあいにおいて、店舗内の空調機の状態が、この空調連携に適さない状態であった場合は、自動的に適する状態にすることで、空調連携制御の狙いとする店舗全体での省エネ運転が実現できるものであり、かつ空調連携の動作が不要となった段階で、元に戻すことで、使用者側へ後から空調運転を修正する作業を求めないで済むので、使用勝手を損ねずに狙いの省エネ運転を実現できるものである。
【発明を実施するための最良の形態】
【００３７】
以下、本発明の実施形態を詳細に説明する。図１は本発明の 空調装置の動きを示すフローチャート、図３は本発明の 空調装置で使用するショーケースの冷媒回路図、図４、図５は計測制御装置の主な構成を示すブロック図、図６は図３の１つのショーケースを拡大した説明図である。
【００３８】
図３において、１は熱源側で例えばコンデンシングユニットであり、２ａ、２ｂ、２ｃは負荷側のショーケースでこの部分は断面構成で図示している。
【００３９】
例えば、前記ショーケース２ａは青果用、ショーケース２ｂは日配用、ショーケース２ｃは生鮮用のショーケースとする。ショーケース２ａ、２ｂ、２ｃ内の白抜き矢印はショーケース内の空気の流れを示している。
【００４０】
図中、３は例えばインバータにより回転数が可変である圧縮機、４は凝縮器、５は液レシーバ、６はアキュムレータであり、これらはコンデンシングユニット１に内蔵される。
【００４１】
７ａ、７ｂ、７ｃは電磁弁、８ａ、８ｂ、８ｃは減圧装置である電子膨張弁、９ａ、９ｂ、９ｃは蒸発器、１０ａ、１０ｂ、１０ｃはショーケース２ａ、２ｂ、２ｃ内を冷却するため蒸発器９ａ、９ｂ、９ｃを経てショーケース２内の冷却対象に送風するファンであり、電磁弁７ａ、７ｂ、７ｃ、電子膨張弁８ａ、８ｂ、８ｃ、蒸発器９ａ、９ｂ、９ｃ、ファン１０ａ、１０ｂ、１０ｃはショーケース２ａ、２ｂ、２ｃに内蔵される。
【００４２】
液管１１とガス管１２は、コンデンシングユニット１とショーケース２ａ、２ｂ、２ｃを接続する冷媒配管である。
【００４３】
圧縮機３、凝縮器４、電磁弁７ａ、７ｂ、７ｃ、電子膨張弁８ａ、８ｂ、８ｃ、蒸発器９ａ、９ｂ、９ｃは冷媒配管１１、１２で接続されて冷凍サイクル２０を構成している。
【００４４】
特に本発明の 空調装置に使用するショーケースでは、１つの熱源に複数の冷却負荷が並列に接続され、その目標冷却温度をそれぞれ個別に設定して冷却対象各々を互いに異なる目標冷却温度に冷却することができる。
【００４５】
さらに、１３ａ〜１３ｉは冷媒温度センサであり、１３ａは圧縮機３の吸入温度、１３ｂは圧縮機３の吐出温度、１３ｃは凝縮器４の出口温度、１３ｄは蒸発器９ａの入口温度、１３ｅは蒸発器９ａの出口温度、１３ｆは蒸発器９ｂの入口温度、１３ｇは蒸発器９ｂの出口温度、１３ｈは蒸発器９ｃの入口温度、１３ｉは蒸発器９ｃの出口温度を測定する。
【００４６】
１４ａ〜１４ｇは空気温度センサであり、１４ａは凝縮器４周囲の外気温度、１４ｂは蒸発器９ａの吸込空気温度、１４ｃは蒸発器９ａの吹出空気温度、１４ｄは蒸発器９ｂの吸込空気温度、１４ｅは蒸発器９ｂの吹出空気温度、１４ｆは蒸発器９ｃの吸込空気温度、１４ｇは蒸発器９ｃの吹出空気温度を測定する。
【００４７】
１５ａ、１５ｂは冷媒圧力センサであり、１５ａは冷凍サイクルの低圧である圧縮機３の吸入圧力、１５ｂは冷凍サイクルの高圧である圧縮機３の吐出圧力を測定する。
【００４８】
また、１６はコンデンシングユニット１の計測制御装置であり、計測制御装置１６の主な構成を図４に示す。
【００４９】
冷媒温度センサ１３ａ、１３ｂ、１３ｃ、空気温度センサ１４ａ、冷媒圧力センサ１５ａ、１５ｂでの測定値をもとに圧縮機３の回転数や、凝縮器４に送風するファン２８の風量などを制御する。
【００５０】
すなわち、コンデンシングユニット１の計測制御装置１６は圧縮機容量制御手段２１及びファン風量制御手段２２を含むものである。１７（１７ａ、１７ｂ、１７ｃ）は各ショーケース２ａ、２ｂ、２ｃの計測制御装置であり、計測制御装置１７の主な構成を図５に示す。
【００５１】
このショーケースの計測制御装置１７には、冷媒温度センサ１３（１３ａ〜１３ｉ）、空気温度センサ１４（１４ａ〜１４ｇ）によるそれぞれの蒸発器９ａ、９ｂ、９ｃの出入口冷媒温度、吹出・吸込の空気温度の測定値をもとに、電磁弁７ａ、７ｂ、７ｃの開閉、および電子膨張弁８（８ａ、８ｂ、８ｃ）の開度、ファン１０の風量を制御する。また、入力手段で入力された蒸発器９ａ、９ｂ、９ｃの冷却対象の目標冷却温度も記憶されている。
【００５２】
すなわちこのショーケースの計測制御装置１７は、目標温度設定手段３１、蒸発器運転決定手段３２、ファン風量制御手段３３、電子膨張弁８の開度を制御して流動抵抗を制御する流動抵抗制御手段３４を含むものである。
【００５３】
また、コンデンシングユニット１の計測制御装置１６とショーケース２ａ、２ｂ、２ｃの計測制御装置１７は相互に通信可能となっており、それぞれの計測値および制御される機器の情報通信を可能とする。情報の受け渡しの様子を図３〜図５に点線で示す。
【００５４】
次に、この実施の形態での冷媒の流れについて説明する。圧縮機３から吐出された高温高圧のガス冷媒は、凝縮器４で外気と熱交換し凝縮液化される。その後、液レシーバ５、液管１１を経てショーケース２ａ、２ｂ、２ｃに流入する。
【００５５】
そして電磁弁７ａ、７ｂ、７ｃを経た冷媒は、電子膨張弁８ａ、８ｂ、８ｃで減圧され、低圧の二相冷媒となった後で、蒸発器９ａ、９ｂ、９ｃで蒸発ガス化しながらファン１０ａ、１０ｂ、１０ｃで送風される空気に冷熱を供給する。
【００５６】
その後、冷媒はガス管１２、アキュムレータ６を通り、圧縮機３に吸入される。
【００５７】
図６にも示すように、ショーケース２ａはファン１０ａをもって、庫内に空気を循環させる。（白矢印）
【００５８】
循環空気は、冷却器９ａによって冷やされたショーケース２ａ天井より庫内をめぐり、ショーケース２ａ下部の吸い込み口より入る。ただし、どうしても構造上、ショーケース外部へ流出する外部流出空気が発生するので、その分、庫内に流入する庫内流入空気が発生する。よって、庫内の温度が安定した場合でも、庫内流入空気を絶えず冷やすことになるので、その分が冷却能力として必要になる。
【００５９】
ここでの所要熱量Ｑは、以下の式となる。
Ｑ＝Ｋ×Ａ×ΔＴ
Ｑ：所要冷却能力
Ｋ：熱通過率
Ａ：面積
ΔＴ：温度差
【００６０】
ここでＫ、Ａはショーケース構造の構造が一意に決まると固定値となるので
Ｑ∝ΔＴ
となる。
ΔＴは、庫内温度Ｔａと、冷媒温度Ｔｒｅｆとの差になるので、ショーケースの場合、以下の式で求められる。
ΔＴ＝Ｔａ−Ｔｒｅｆ
Ｔａ：庫内温度
Ｔｒｅｆ：冷媒温度
【００６１】
そして庫内温度Ｔａは、
Ｔａ＝（吸い込み空気温度Ｔａｉｎ＋吹出空気温度Ｔａｏｕｔ）／２  
なお、ここでのｉｎとｏｕｔは、冷却器９からみた方向で示している。
【００６２】
また、ここでの所要冷却能力は、基本的には、外部に漏れる熱量であることより、ショーケース２ａ外部環境（温度、湿度）による影響を受ける。そのため、ショーケース２ａのカタログ表記での所要冷却能力は、温度、湿度を特定している。
【００６３】
よってショーケース環境を安定させ、冷媒温度を理想的に調整することでショーケースの庫内温度は安定できる。
【００６４】
仮に、ショーケース環境温度が２５℃、湿度６０％でショーケースの目標温度を０℃であったときに、冷媒温度が−１０℃でちょうどショーケースの庫内温度が０℃でつりあいが出来るように、ショーケース２ａの計測制御装置１７ａとコンデンシングユニット１の計測制御装置１６、システムコントローラ４１によって、冷媒の温度を調整した場合、ショーケースの環境温度があがると、必要とする所要冷却能力が増えるので、冷媒温度が変わらない場合は、ΔＴが減り庫内温度は上昇する。
【００６５】
よって、このような状態を計測制御装置１７ａが検知した場合は、ショーケース２の庫内温度を安定させるには、従来のショーケース２とコンデンシングユニット１だけの関係だと、冷媒温度を下げることを行う。
【００６６】
ただし、店舗内の空気としてみたときに、店舗内の空気を空調機１８（１８ａ〜１８ｉ）が下げ、更にショーケース２ａ、２ｂ、２ｅ、２ｊ、２ｓ、２ｗ、２ｔ〜が下げることになる。
【００６７】
であれば、ショーケース２ａ、２ｂ、２ｅ、２ｊ、２ｓ、２ｗ、２ｔ〜、空調機１８（１８ａ〜１８ｉ）をコントロールするシステムコントローラ４１によって、空調機１８（１８ａ〜１８ｉ）の設定温度を下げることで、ショーケース２の環境温度を当初のバランス点まで下げられることで、庫内温度を一定に出来る。
【００６８】
そうすることで、空調機の仕事量は増えるが、空調機はショーケースより冷媒蒸発温度の高い領域で動かすので、ショーケース側の冷却運転を減らした分、全体では使用する電気量の削減を得られる。
【００６９】
そしてこのように、同一店舗内のショーケースと空調機を連携させて、ショーケース環境を安定させ、店舗全体としての最適化運転をすることを、本発明は、ショーケース側からの視点で空調連携制御するものである。
【００７０】
【表２】
0005627522.tif 000003
前記表２は、ある店舗に設置されている、ショーケースとコンデンシングユニットの関係を示す。
【００７１】
ここでは、計３０台のショーケースと、そのショーケース用に、１１台のコンデンシングユニットが設置されている。
【００７２】
そして、このコンデンシングユニットは、各々接続されているショーケースの冷却能力状態を監視し、零級空く能力が不足した場合は、冷媒の蒸発温度を下げ、逆の場合はあげて、ショーケースに対して冷却能力の過不足を生じさせない制御をしている。
【００７３】
その手法そのものは、例えば、ショーケース庫内温度が設定温度より高くなった場合、冷却能力不足と判定する方法、ショーケースが設定温度より冷えた場合の冷媒遮断（サーモオフ）の発生回数が、所定時間でどれだけ起こったかで判定する方法（この場合は、能力不足になるとサーモオフ回数が減り、最終的にはサーモオフしなくなる）など、各種のやり方がある。
【００７４】
そしてシステムコントローラが、ショーケースの冷却能力不足を判断すると、それまでの冷媒蒸発より下げた目標蒸発温度ＥＴｍを設定することで、その蒸発温度を下げるようにコンデンシングユニットに指令を出し、コンデンシングユニットはその蒸発温度になるように圧縮機を動かす。
【００７５】
なお、ここでのコンデンシングユニットはインバータ制御であることを前提にしているので、圧縮機の回転数を変えることで用意に調整できる。
【００７６】
よって、ここで目標蒸発温度ＥＴｍが所定値より下がる場合は、ショーケースの冷却能力を増やすために行っており、これはショーケースの環境が冷却能力を増やす状態、つまり温度が高くなる、湿度が高くなってきたことを示す。
【００７７】
コンデンシングユニットは、初期蒸発温度を、定格条件でバランスする値にするので、そこからの差をもって、ショーケース環境の変動を判断するようにしている。
【００７８】
【表３】
0005627522.tif 000004
【００７９】
前記表３では、各用途ごとに使用しているコンデンシングユニットのＥＴｍがどれだけ初期ＥＴより下がった場合に、ショーケース環境が悪化したと判断するかを示している。
【００８０】
よって例えば、コンデンシングユニットＮｏ．１はＥＴよりＥＴｍが３度以上低くなった場合は、ショーケース環境の劣化が発生していると判定し、この事例ではどれか一つのコンデンシングユニットがこの状態になったことをトリガとして、店舗の空調機の設定温度を、２度低くするとしている。
【００８１】
当然トリガ条件は、今回のようなｏｒ条件でなくとも店舗の実情に合わせて、ａｎｄ条件であってもよく、この実例では組み合わせを規定しているものではない。
【００８２】
そして表の残りの各動作パラメータについては、下記の通りである。
空調機設定温度変化：  ショーケースの環境要因が悪化した場合に行う、各ショーケースもしくはコンデンシングユニット１に対応した空調機１８（１８ａ〜１８ｉ）の温度変更幅である。
温度変更更新時間：  ショーケース環境が悪化して空調機の温度を一回下げた以降、無一度下げるかを判断するための時間である。（ようはこの時間経過しないと２回目の下げは実施しないための時間で、その理由は、空調機の温度を下げてもすぐにはその効果は得られないためで、この時間が無いとどんどん空調機の温度を下げることになってしまうためである。
空調設定温度シフト保持時間：  空調機の設定温度を下げた場合、ＥＴｍが改善できたとしても、この時間の中は空調機の温度を戻さないための時間である。（この時間が無いと、空調機の温度を戻すと、ショーケース負荷がまた重くなり、空調機の温度を上げたりとなり、前提の系として動作が落としてしまうためである。）
空調機設定下限温度：  空調機の温度を下げてよい加減の温度である。（下げすぎると、滞在する人への低温ストレスをあたえることになり、更に下げようとするとある時点より店舗全体の省エネ効率を悪化させてしまう。）
【００８３】
本発明における空調連携制御において、空調機の役割は主に、店舗内の空気を冷やすことで、ショーケース設置環境の空気温度、もしくは湿度を下げてショーケース環境を改善し、ショーケースの冷却能力を下げることにある。
【００８４】
ただし、空調機の本来の役割は、店舗内に滞在する人への配慮をもっての温度コントロールであり、夏場は通常冷房となるが、冬場は暖房、中間期や一日の中でも、夜間、早朝などは、停止にしたり、除湿にしたり、色々な空調機の運転モードに変えて使用されることが多い。
【００８５】
よって空調連携制御が必要となった場合の空調連携の方法について説明する。
最初に空調機１８（１８ａ〜１８ｉ）が動いている状態と止まっている状態の２つに場合に分けて説明する。
【００８６】
まず、各々空調機が動いていた場合は、そのときの運転モード、空調機が止まっていた場合は、止まる前の運転モードと、空調連携で動かすときの運転モードを下記表４と表５に示す。ここでの空調機１８（１８ａ〜１８ｉ）の運転モードは、市場で流通している代表的なモードを示している。
【００８７】
【表４】
0005627522.tif 000005
【００８８】
【表５】
0005627522.tif 000006
【００８９】
本発明は、同一店舗内に、ショーケースと空調機が施設されていて、それぞれの冷媒回路が独立し、各々専用の冷凍機とつながっている場合において、ショーケースの所要冷却能力がショーケース環境要因にて不足した場合に、同一店舗内の空調機の運転を増加させ、ショーケースの環境要因を改善し、ショーケースの冷却能力を低減する制御を行うのに、ショーケースの所要冷却能力がショーケース環境要因にて不足した時に、空調機が停止している場合は、その停止している空調機を強制的に冷房を行う運転で運転させ、冷房状態の運転ではない場合は、冷房状態の運転に切り替えて運転させ、暖房を行う運転の場合は、暖房運転のままで目標温度を下げて運転を継続させるものである。
【００９０】
表４は、空調機１８（１８ａ〜１８ｉ）が動いていた場合で、ここでの空調連携は、基本的にはそれ以前の運転を継続する。
【００９１】
ただし、ドライ、送風では、ショーケース環境の改善に即効性が弱いので、どちらも冷房に変更する。
【００９２】
そして、冷房運転にして、通常設定する温度より所定の温度より、ここでは前記表３で示す２度下げて冷房運転とする。
【００９３】
暖房運転であったときは、そこをいきなり冷房にすると動作が１８０度反対となり、そこに滞在される方の違和感が大きくなることと、もともと暖めたい動作であることは暖房を止めると温度が下がる環境であることの２つの視点より、暖房時は、暖房の状態で設定温度だけを下げ、ここではやはり２度下げることになる。
【００９４】
前記表５は、空調機が止まっている状態で、空調連携をする場合の動きを示している。空調機は止まっていたのだから、動かす動きは全て冷房である。
【００９５】
そして、前記表４も表５も空調連携を実施する状況がショーケース環境として改善できた場合は、空調機は元のモードに戻して、止まっていた場合は止めた状態とする。
【００９６】
他に空調連携を行う場合に、店舗室外の環境が、空調で行う冷房設定の環境温度以下であった場合は、空調機による冷房に入るのではなく、換気扇の流量を上げ外気の取入れを増加させる。
【００９７】
そしてそれだけでは改善できない場合は、空調機を動かし、ショーケース環境改善を行う。この一連の動きを図６のフローチャートに示す。
【００９８】
なお、前記表５に沿って、空調連係制御完了後、元の停止状態に戻す場合に、その時間がすでに店舗が開店状態となっていて、連携対象でない、空調機が動き出しているならば、停止にするのではなくて、停止以前の設定で動かすようにする。
【００９９】
また、空調機を管理するシステムコントローラ、もしくはその他のコントローラのスケジュール機能で、空調機を動かす時間帯が既に決められていて、そこで決められていた動かす時間内であれば、空調機を停止させないで、スケジュールル機能通りの動かし方とする。
【０１００】
他にも、空調連携中、誰かによる後操作で、空調運転の条件を変えられていた場合は、動作継続する意思があるものとシステムコントローラ４１が判断し、空調連携終了後も空調機の運転を止めない。
【０１０１】
以上前記実施形態は、ショーケース設置の環境劣化により、所要冷却能力が上昇した場合、同一店舗内の空調機をもってショーケース環境劣化を改善するばあいにおいて、店舗内の空調機の状態が、この空調連携に適さない状態であった場合は、自動的に適する状態にし、その手段として、外気を換気扇を持って利用することも含まれる。よって、この趣旨に沿った動かし方であれば、本発明は前記実施形態で上げた運転モードの名称や、設定の細かな時限、温度に特定されるものではない。
【図面の簡単な説明】
【０１０２】
【図１】本発明の 空調装置の動きを示すフローチャートである。
【図２】一般的な食品店舗を示す説明図である。
【図３】本発明の 空調装置で使用するショーケースの冷媒回路図である。
【図４】コンデンシングユニットの計測制御装置の主な構成を示すブロック図である。
【図５】ショーケースの計測制御装置の主な構成を示すブロック図である。
【図６】図３の１つのショーケースを拡大した説明図である。
【符号の説明】
【０１０３】
１（１ａ〜１ｉ）：コンデンシングユニット（冷凍機）
２ａ、２ｂ、２ｅ、２ｊ、２ｓ、２ｗ、２ｔ〜：ショーケース
３：圧縮機
４：凝縮機
５：液レシーバ
６：アキュムレータ
７ａ、７ｂ、７ｃ：電磁弁
８（８ａ、８ｂ、８ｃ）：減圧装置（電子膨張弁）
９（９ａ、９ｂ、９ｃ）：蒸発器
１０（１０ａ、１０ｂ、１０ｃ）：ファン
１１：液管
１２：ガス管
１３ａ〜１３ｉ：冷媒温度センサ
１４ａ〜１４ｇ：空気温度センサ
１５ａ、１５ｂ：圧力センサ
１６：計測制御装置    
１７（１７ａ、１７ｂ、１７ｃ）：計測制御装置
１８（１８ａ〜１８ｉ）：空調機
１９（１９ａ、１９ｂ）：バックヤード
２０（２０ａ〜２０ｉ）：冷凍サイクル
２１：圧縮機容量制御手段
２２：ファン風量制御手段
２８：ファン
３１：目標温度設定手段
３２：蒸発器運転決定手段
３３：ファン風量制御手段
３４：流動抵抗制御手段
４１：システムコントローラ
【図１】
0005627522.tif 000007
【図２】
0005627522.tif 000008
【図３】
0005627522.tif 000009
【図４】
0005627522.tif 000010
【図５】
0005627522.tif 000011
【図６】
0005627522.tif 000012